(57)【要約】【課題】第三者の不正使用に対するセキュリティ性の向上とユーザに対する操作性の維持が可能な携帯端末装置を提供する。【解決手段】第一の筐体に設けられ、開状態を構成する場合に露出して入力を受け付ける第一の入力受付手段と、第二の筐体に設けられ、開状態を構成する場合に露出して点灯する第一の表示手段と、第一の筐体または第二の筐体に設けられ、閉状態を構成する場合に露出して入力を受け付ける第二の入力受付手段と、第一の入力受付手段または第二の入力受付手段より入力を受け付けた指示に基づき、第一の表示手段を点灯不可状態に制御する点灯ロック手段と、点灯ロック手段により第一の表示手段が点灯不可状態に制御された場合、第二の入力受付手段より入力を受け付けたロック解除指示に基づき、第一の表示手段を点灯可能状態に制御するロック解除手段とを備えた。【選択図】  図４
2009268034.tif 000002
【特許請求の範囲】
【請求項１】
第一の筐体と第二の筐体とが回動自在に連結され、開状態および閉状態を構成可能な携帯端末装置において、
前記第一の筐体に設けられ、前記開状態を構成する場合に露出して入力を受け付ける第一の入力受付手段と、
前記第二の筐体に設けられ、前記開状態を構成する場合に露出して点灯する第一の表示手段と、
前記第一の筐体または第二の筐体に設けられ、前記閉状態を構成する場合に露出して入力を受け付ける第二の入力受付手段と、
前記第一の入力受付手段または第二の入力受付手段より入力を受け付けたロック設定指示に基づき、前記第一の表示手段を点灯不可状態に制御する点灯ロック手段と、
前記点灯ロック手段により前記第一の表示手段が点灯不可状態に制御された場合、前記第二の入力受付手段より入力を受け付けたロック解除指示に基づき、前記第一の表示手段を点灯可能状態に制御するロック解除手段とを備えたことを特徴とする携帯端末装置。
【請求項２】
前記点灯ロック手段により前記第一の表示手段が前記点灯不可状態に制御された場合、前記第二の入力手段の入力の受付を有効とし、前記第一の入力受付手段の入力の受付を無効とする入力制御手段をさらに備えたことを特徴とする請求項１記載の携帯端末装置。
【請求項３】
前記点灯ロック手段により前記第一の表示手段が点灯不可状態に制御された場合において、発生した割込み処理があらかじめ設定された例外処理である場合、
前記ロック解除手段は前記第一の表示手段を一時的に点灯可能状態に制御することを特徴とする請求項１記載の携帯端末装置。
【請求項４】
前記点灯ロック手段により前記第一の表示手段が前記点灯不可状態に制御されたと同時に、所定の入力以外の前記第一の入力受付手段および第二の入力受付手段の入力の受付を無効とする入力制御手段をさらに備えたことを特徴とする請求項１記載の携帯端末装置。
【請求項５】
前記第二の入力受付手段により一の前記所定の入力である前記ロック解除指示の入力を受け付けた場合、
前記入力制御手段は、前記第一の入力受付手段および第二の入力受付手段の入力の受付を有効とすることを特徴とする請求項４記載の携帯端末装置。
【請求項６】
前記第二の入力受付手段により一の前記所定の入力である前記ロック解除指示の入力を受け付けた場合、
前記入力制御手段は、所定の入力以外の前記第一の入力受付手段および第二の入力受付手段の入力の受付の無効を維持することを特徴とする請求項４記載の携帯端末装置。
【請求項７】
前記第二の入力受付手段があらかじめ設定された例外処理の実行が割り当てられた前記所定の入力を受け付けた場合、
前記入力制御手段は、一時的に前記例外処理の実行に伴う第二の入力受付手段の入力の受付を有効とすることを特徴とする請求項４記載の携帯端末装置。
【請求項８】
前記例外処理は、緊急用の音声発信処理であることを特徴とする請求項７記載の携帯端末装置。
【請求項９】
前記第二の入力受付手段は、数字または記号の入力の受付が可能であり、
前記ロック解除手段は、前記第二の入力受付手段よりあらかじめ設定された所定桁数の数字または記号の入力を受け付けた場合に、前記ロック解除指示である暗証番号に関する入力を受け付けたと認識することを特徴とする請求項１記載の携帯端末装置。
【発明の詳細な説明】
【技術分野】
【０００１】
本発明は、携帯端末装置に係り、特にロック機能を備えた携帯端末装置に関する。
【背景技術】
【０００２】
近年、携帯電話機などの携帯端末装置は、音声通話のみならず、データ通信や動画像撮影、動画像・音声視聴、文書や画像の閲覧の多機能を備えた装置が増加している。このため、これらの種々の機能の使用時における操作性を重視した各種の形態を構成する携帯端末装置が提供されている。この携帯端末装置のうち、音声通話使用時や操作キーを介した操作時などにおける操作性と、装置の小型化との要請を両立させるべく、連結された二つの筐体で構成された折りたたみ式の携帯端末装置が提供されている。
【０００３】
折りたたみ式の携帯端末装置は、ヒンジ機構を介して開状態、閉状態を構成する。携帯端末装置が開状態を構成する場合、一方の筐体に設けられ、各種操作の入力を受け付けるメイン操作キーと、他方の筐体に設けられ、この筐体の表面積の大部分を占めるメインディスプレイとが露出し、種々の機能が操作可能となっている。また、携帯端末装置が閉状態を構成する場合には、各筐体に設けられたメイン操作キーとメインディスプレイが対向してほぼ重なり合い、携帯端末装置がコンパクトな状態となる。
【０００４】
折りたたみ式の携帯端末装置には、閉状態を構成する場合においても一部の操作が可能なように、筐体表面にサブディスプレイおよびサブ操作キーが設けられる。サブディスプレイはメインディスプレイよりも小型のディスプレイであり、例えば現在時刻や電池残量が表示され、また音声着信やメール受信があった場合にはそれらの通知が表示される。また、サブ操作キーはメイン操作キーよりも少数の操作キーが設けられ、例えば音声発信や簡単な入力の受付が可能なように構成される。
【０００５】
携帯端末装置には、第三者による携帯端末装置の使用や、かばんなどにおける収納時に発生する誤操作を防止するため、操作キーが入力を受け付けた操作を無効とするキーロック機能が設けられる（例えば、特許文献１参照。）。
【０００６】
その一方で、携帯端末装置に設けられたメインディスプレイの点灯・消灯状態を好適に制御し、携帯端末装置の使い勝手を向上させた携帯端末装置が知られている（例えば、特許文献２参照。）。
【特許文献１】特開２００５−３４７９８６号公報
【特許文献２】特開２００５−３５４５４４号公報
【発明の開示】
【発明が解決しようとする課題】
【０００７】
携帯端末装置には種々の機能が設けられるが、これに伴い第三者の不正使用などに対するセキュリティ面の強化や、携帯端末装置内部に保持された情報の管理に対する重要度が増している。
【０００８】
特許文献１に示す携帯端末装置は、開状態および閉状態に応じて好適に設定および解除が可能なロック機能が設けられていた。しかし、開状態および閉状態の各状態を構成する場合にそれぞれ実行可能な操作に対するロック機能までは考慮されていなかった。この結果、メインディスプレイおよびメイン操作キーと比較して、少ない操作キーを利用して簡易な操作で実行可能な閉状態における種々の機能の活用が十分に図れていなかった。
【０００９】
また、特許文献２に示す携帯端末装置は、メインディスプレイの点灯・消灯状態が好適に制御されるが、セキュリティ面を考慮したロック機能は備えていなかった。
【００１０】
本発明はこのような事情を考慮してなされたもので、メインディスプレイの点灯状態の制御を行うことで第三者の不正使用に対するセキュリティ性の向上とユーザに対する操作性の維持が可能な携帯端末装置を提供することを目的とする。
【課題を解決するための手段】
【００１１】
本発明に係る携帯端末装置は、上述した課題を解決するために、第一の筐体に設けられ、開状態を構成する場合に露出して入力を受け付ける第一の入力受付手段と、第二の筐体に設けられ、前記開状態を構成する場合に露出して点灯する第一の表示手段と、前記第一の筐体または第二の筐体に設けられ、閉状態を構成する場合に露出して入力を受け付ける第二の入力受付手段と、前記第一の入力受付手段または第二の入力受付手段より入力を受け付けたロック設定指示に基づき、前記第一の表示手段を点灯不可状態に制御する点灯ロック手段と、前記点灯ロック手段により前記第一の表示手段が点灯不可状態に制御された場合、前記第二の入力受付手段より入力を受け付けたロック解除指示に基づき、前記第一の表示手段を点灯可能状態に制御するロック解除手段とを備えたことを特徴とする。
【発明の効果】
【００１２】
本発明に係る携帯端末装置は、メインディスプレイの点灯状態の制御を行うことで第三者の不正使用に対するセキュリティ性の向上とユーザに対する操作性の維持が可能である。
【発明を実施するための最良の形態】
【００１３】
本発明に係る携帯端末装置の実施形態を添付図面に基づいて説明する。
【００１４】
図１は、本発明に係る携帯端末装置の一例を示し、携帯端末装置１が開状態を構成するときの外観の構成を示す斜視図である。
【００１５】
携帯端末装置１は、ほぼ同一の矩形状に構成された第一の筐体１２と第二の筐体１３とを備える。第一の筐体１２と第二の筐体１３とは、ヒンジ機構１４を介して回動自在に連結される。図１に示す携帯端末装置１は、第一の筐体１２に設けられたメイン操作キー２０と、第二の筐体１３に設けられたメインディスプレイ２１とが露出して使用可能となった状態である。以下この状態を「開状態」という。
【００１６】
携帯端末装置１の内部の所定の位置には、図示しない送受信用のアンテナが設けられている。携帯端末装置１は、内蔵されたアンテナを介して基地局との間で電波を送受信し、音声通話やデータ通信を行う。
【００１７】
第一の筐体１２には、携帯端末装置１が開状態を構成する場合に露出して入力を受け付ける第一の入力受付手段としてのメイン操作キー２０が設けられる。メイン操作キー２０は、「０」〜「９」の数字の入力が割り当てられたキーや「Ａ」〜「Ｚ」のアルファベットの入力が割り当てられたキーなどの複数のキーが設けられており、メイン操作キー２０を押下することにより各種指示を入力することができる。
【００１８】
第一の筐体１２には、開状態において音声通話を行うため、マイクロフォンおよびレシーバ（いずれも図示せず）が設けられる。また、携帯端末装置１の所定の位置には、レシーバ以外の音声出力部としてのスピーカ（図示せず）も設けられる。
【００１９】
なお、第一の筐体１２は、背面側から挿着可能なバッテリパック（図示せず）が設けられる。携帯端末装置１は、電源キー２２が押下されてオン状態になると、このバッテリパックから各回路部に対して電力が供給されて動作可能な状態に起動する。
【００２０】
また、第一の筐体１２の背面側には外部ＣＣＤカメラ（図示せず）が設けられており、これにより、所望の撮影対象を撮像することができる。
【００２１】
一方、第二の筐体１３には、携帯端末装置１が開状態を構成する場合に露出して点灯するメインディスプレイ２１が設けられる。メインディスプレイ２１は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）により構成されるディスプレイである。
【００２２】
メインディスプレイ２１には、電波の受信状態、電池残量、電話帳として登録されている相手先名や電話番号および送信履歴などの他、動画像、電子メールの内容、簡易ホームページや文書などが表示される。また、テレビ電話機能を利用した通信時においては、通話相手の動画像などが表示される。
【００２３】
メインディスプレイ２１は、例えば携帯端末装置１が閉状態から開状態に移行したり、メイン操作キー２０が何らかの入力を受け付けた場合には、消灯状態から点灯状態に移行するようになっている。また、メインディスプレイ２１が点灯状態であって、所定時間内に何らかの操作が行われない場合には、消灯状態に移行するようになっている。
【００２４】
なお、メインディスプレイ２１にはペン型入力装置を利用して入力を受け付けるタブレット機能を備えた第一の入力手段としても機能する。
【００２５】
第二の筐体１３には内部ＣＣＤカメラ２３が設けられており、これにより、所望の撮影対象を撮像することができる。また、テレビ電話機能を利用した通信時においては、通話相手に送信される映像を撮像する。
【００２６】
図２は、本発明に係る携帯端末装置の一例を示し、携帯端末装置が閉状態を構成する場合の外観の構成を示す斜視図である。
【００２７】
図２の携帯端末装置１は、図１に示す開状態である携帯端末装置１の第一の筐体１２と第二の筐体１３とが閉方向に回動された状態であって、メイン操作キー２０とメインディスプレイ２１とが対向してほぼ重なり合う状態である。以下この状態を「閉状態」という。
【００２８】
第二の筐体１３には、開状態である場合と同様に、閉状態においても音声通話を行うため、マイクロフォン（図示せず）およびレシーバ２５が設けられる。
【００２９】
第二の筐体１３には、携帯端末装置１が閉状態を構成する場合に露出して入力を受け付ける第二の入力受付手段として、サブ操作キー２６が設けられる。サブ操作キー２６には、十字キーや確定キーなどが設けられ、各操作キーには携帯端末装置１が閉状態を構成する場合であっても実行が可能な種々の処理が割り当てられる。
【００３０】
第二の筐体１３には、例えばＬＣＤにより構成されるサブディスプレイ２７が設けられる。サブディスプレイ２７には、現在のアンテナの感度のレベルを示すアンテナピクトや、現在の電池残量を示す電池ピクト、現在の時刻などが表示される。また、音声通話またはテレビ電話着信や、電子メールの新着受信などを通知する文字情報やアイコンなども必要に応じて適宜表示される。
【００３１】
また、サブディスプレイ２７にはペン型入力装置を利用して入力を受け付けるタブレット機能が備えられており、第二の入力受付手段としても機能する。サブディスプレイ２７には、「０」〜「９」の数字および「＊」、「＃」の記号などが表示される。サブディスプレイ２７は、ペン型入力装置などを用いて押圧されることにより、押圧された箇所に表示された数字などの入力を受け付ける。
【００３２】
このサブディスプレイ２７およびサブ操作キー２６が所定の入力を受け付けることにより、携帯端末装置１が閉状態であっても種々の処理を実行することができる。例えば所定のサブ操作キー２６を押下することにより、音楽再生アプリケーションや電子メールの確認画面、外部ＣＣＤカメラ、アラームの設定機能が起動したり、音声通話の発信が可能なように構成される。また、サブディスプレイ２７は、音声通話の発信先電話番号や、本実施形態における携帯端末装置１に設けられたメインディスプレイ点灯ロック機能の解除のための暗証番号の入力などを受け付けるようになっている。
【００３３】
図３は、本実施形態における携帯端末装置１の内部の構成を示す図である。
【００３４】
携帯端末装置１は、主制御部３０、電源回路部３１、入力制御部３２、表示制御部３３、記憶部３４、音声制御部３５および通信制御部３６がバスによって相互に通信可能に接続されて構成される。
【００３５】
主制御部３０は、ＣＰＵ（Ｃｅｎｔｒａｌ  Ｐｒｏｃｅｓｓｉｎｇ  Ｕｎｉｔ）を具備する。ＣＰＵは種々の制御信号を生成し各部に供給することにより携帯端末装置１を統括的に制御する。ＣＰＵは、例えばメイン操作キー２０およびサブ操作キー２６から受け付けた入力に対する入力制御処理や、その他の様々な演算処理や制御処理などを行う。
【００３６】
電源回路部３１は、例えばユーザによる電源キー２２から受け付けた入力に基づいて電源のオン／オフ状態を切り替える。電源回路部３１は、電源がオン状態になるとバッテリパックから各回路部に対して電力を供給させ、携帯端末装置１を動作可能な状態に起動する。
【００３７】
入力制御部３２は、メイン操作キー２０やサブ操作キー２６およびメインディスプレイ２１やサブディスプレイ２７に対する入力インタフェースを備える。この入力制御部３２は、メイン操作キー２０などの押下を検出すると、その押下されたキーを示す信号を生成して主制御部３０に供給する。また、本実施形態においては、メインディスプレイ点灯ロック設定指示などを受け付けた場合に、主制御部３０の指示に基づきメイン操作キー２０などの入力の受付を制御する入力制御手段として機能する。
【００３８】
表示制御部３３は、メインディスプレイ２１やサブディスプレイ２７に対する表示インタフェースを備え、主制御部３０の制御に基づいて、メインディスプレイ２１などの点灯状態を制御したり、文書や動画像などを含んだ表示情報をメインディスプレイ２１やサブディスプレイ２７に表示したりする。また、本実施形態においては、メインディスプレイ点灯ロック設定指示または解除指示を受け付けた場合に、主制御部３０の指示に基づきメインディスプレイ２１を制御して点灯可能状態または点灯不可状態に制御する点灯ロック手段およびロック解除手段として機能する。
【００３９】
記憶部３４は、主制御部３０が行う処理の処理プログラムや処理に必要なデータなどを格納するＲＯＭ（Ｒｅａｄ  Ｏｎｌｙ  Ｍｅｍｏｒｙ）やハードディスク、不揮発性メモリ、主制御部３０が処理を行う際に使用されるデータを一時的に記憶するＲＡＭ（Ｒａｎｄｏｍ  Ａｃｃｅｓｓ  Ｍｅｍｏｒｙ）などから構成される。記憶部３４は、主制御部３０のＣＰＵにより実行される電子メール機能などの種々のアプリケーションや種々のデータ群を格納している。
【００４０】
音声制御部３５は、主制御部３０の制御に基づいて、マイクロフォン２４で集音された音声からアナログ音声信号を生成し、このアナログ音声信号をデジタル音声信号に変換する。また音声制御部３５は、デジタル音声信号を取得すると、主制御部３０の制御に基づいてこのデジタル音声信号をアナログ音声信号に変換し、レシーバ２５から音声として出力する。
【００４１】
通信制御部３６は、主制御部３０の制御に基づいて、基地局（図示せず）からアンテナ３７を介して受信した受信信号をスペクトラム逆拡散処理してデータを復元する。このデータは、主制御部３０の指示により、音声制御部３５に伝送されてレシーバ２５から出力されたり、表示制御部３３に伝送されてメインディスプレイ２１に表示されたり、または記憶部３４に記録されたりする。また通信制御部３６は、主制御部３０の制御に基づいて、マイクロフォン２４で集音された音声データやメイン操作キー２０などを介して入力されたデータや記憶部３４に記憶されたデータを取得すると、これらのデータに対してスペクトラム拡散処理を行い、基地局に対してアンテナ３７を介して送信する。
【００４２】
ここで、従来の携帯端末装置には、第三者による携帯端末装置の不正使用や、かばんなどにおける収納時に発生する誤操作を防止するため、操作キーなどが入力を受け付けた操作を無効とするロック機能が設けられていた。
【００４３】
従来のロック機能は、例えば携帯端末装置が入力を受け付ける一切の操作を無効とするものや、一部の機能のみの実行を制限するものがあった。また、これらのロック機能の解除は、メインディスプレイに暗証番号を入力する入力画面が表示された際に、操作キーなどを介してあらかじめ設定された暗証番号を入力することによる解除方法が用いられていた。または、特定の操作キーを長押しすることなどによってロック機能を解除する方法が用いられていた。
【００４４】
今日の携帯端末装置などの携帯端末装置は、音声通話のみならず、データ通信や動画像撮影、動画像・音声視聴、文書や画像の閲覧などが可能な多機能を備えた装置が増加している。これに伴い第三者の不正使用に対するセキュリティ面の強化や、携帯端末装置内部に保持された情報の管理に対する重要度が増している。
【００４５】
本実施形態における携帯端末装置１は、これらのロック機能にメインディスプレイ２１の点灯状態の制御処理を付加することで、閉状態におけるサブディスプレイ２７およびサブ操作キー２６を利用した種々の機能の操作性を維持しつつ、セキュリティ性を向上させるメインディスプレイ点灯ロック機能を備える。
【００４６】
本実施形態における携帯端末装置１のメインディスプレイ点灯ロック機能設定時に実行される処理について説明する。
【００４７】
図４は、本実施形態における携帯端末装置１で実行されるメインディスプレイ点灯ロック処理を示すフローチャートである。
【００４８】
ステップＳ１において、主制御部３０は、メインディスプレイ点灯ロック機能を設定させる指示を受け付けたか否かの判定を行う。メインディスプレイ点灯ロック機能は、例えばメインディスプレイ２１に表示されるメインディスプレイ点灯ロック機能の設定画面から、メインディスプレイ点灯ロック機能を設定する指示の入力をメイン操作キー２０が受け付けることにより設定される。また、サブ操作キー２６またはサブディスプレイ２７が所定の入力を受け付けることによりメインディスプレイ点灯ロック機能が設定されるように構成してもよい。
【００４９】
主制御部３０は、メインディスプレイ点灯ロック機能を設定させる指示を受け付けていないと判定した場合、メインディスプレイ点灯ロック機能を設定させる指示を受け付けるまで処理を待機する。
【００５０】
主制御部３０は、メインディスプレイ点灯ロック機能を設定させる指示を受け付けたと判定した場合、ステップＳ２において、メインディスプレイ点灯ロック機能を設定する。
【００５１】
表示制御部３３は、主制御部３０の指示に基づきメインディスプレイ２１を制御し、点灯不可状態とする。なお、点灯不可状態は、例えば携帯端末装置１が閉状態から開状態に移行したり、メイン操作キー２０などが何らかの入力を受け付けた場合であっても、メインディスプレイ２１は点灯状態には移行せず、消灯状態を維持する状態をいう。これに対し、点灯可能状態とは、例えば携帯端末装置１が閉状態から開状態に移行したり、メイン操作キー２０などが何らかの入力を受け付けた場合には、消灯状態から点灯状態に移行可能な状態をいう。
【００５２】
また、入力制御部３２は主制御部３０の指示に基づき、メイン操作キー２０およびメインディスプレイ２１が受け付けた入力が無効となるように制御する。メイン操作キー２０などが受け付けた入力を無効とすることで、メインディスプレイ２１が点灯不可状態であるにもかかわらず、誤操作によりまたは意図的に処理が入力された場合であっても、その処理の実行を防止することが可能である。
【００５３】
ロック設定ステップＳ２においては、サブディスプレイ２７は適宜点灯が可能な状態であり、サブ操作キー２６およびサブディスプレイ２７は適宜入力の受付が可能な状態である。このため、サブディスプレイ２７およびサブ操作キー２６を用いて携帯端末装置１の操作が可能な処理の実行は何ら制限されない。
【００５４】
ステップＳ３において、主制御部３０は、携帯端末装置１に割込み処理が発生したか否かの判定を行う。
【００５５】
割込み処理は、例えば携帯端末装置１が閉状態から開状態へ移行された場合、音声通話またはテレビ電話着信があった場合、電子メールの新着受信があった場合、サブティスプレイ２７がメインディスプレイ点灯ロック機能を解除するための暗証番号などの何らかの入力を受け付けた場合に発生する。
【００５６】
主制御部３０は、携帯端末装置１に割込み処理が発生していないと判定した場合、割込み処理が発生するまで処理を待機する。
【００５７】
一方、主制御部３０は、携帯端末装置１に割込み処理が発生したと判定した場合、ステップＳ４において、発生した割込み処理により、メインディスプレイ点灯ロック機能を解除させる指示を受け付けたか否かの判定を行う。メインディスプレイ点灯ロック機能の解除指示は、例えば第二の入力受付手段としてのサブディスプレイ２７を介してあらかじめ設定された暗証番号の入力により受け付ける。この暗証番号は、ユーザによってあらかじめ設定された所定桁数の数字または記号の組み合わせで生成され、記憶部３４に記憶される。また、暗証番号は適宜変更が可能である。
【００５８】
図５は、本実施形態におけるに携帯端末装置のサブディスプレイ２７の表示例を示す図である。
【００５９】
サブ操作キー２６の所定のキーが押下されることにより、またはタブレット機能を備えるサブディスプレイ２７がペン型入力装置などを用いて押圧されることにより、図５に示すようにサブディスプレイ２７には、「０」〜「９」の数字および「＊」、「＃」の記号が表示される。サブディスプレイ２７は、ペン型入力装置などを用いて押圧されることにより、押圧された箇所に表示された数字などの入力を受け付ける。
【００６０】
暗証番号は、受け付けた入力が音声通話を行う際の相手先の電話番号の入力であると誤認されないような数字および記号で構成されることが好適である。例えば、４桁の数字とその先頭と末尾に「＃」が付加された「＃１２８９＃」などの電話番号であると誤認されないような６桁の数字および記号の入力を受け付けた場合に、主制御部３０は暗証番号に関する入力を受け付けたと認識するように構成される。
【００６１】
主制御部３０は、サブディスプレイ２７があらかじめ設定された暗証番号の入力を受け付けた場合、メインディスプレイ点灯ロック機能を解除させる指示を受け付けたと認識する。一方、サブディスプレイ２７があらかじめ設定された暗証番号と異なる数字および記号で構成された誤った暗証番号の入力を受け付けた場合、主制御部３０は、正しい暗証番号ではない旨の通知をサブディスプレイ２７に表示させることでユーザに通知する。
【００６２】
なお、ロック解除判定ステップＳ４においては、携帯端末装置１はサブディスプレイ２７の表示動作、およびサブディスプレイ２７とサブ操作キー２６とが入力の受付が可能な閉状態を構成している。
【００６３】
主制御部３０は、メインディスプレイ点灯ロック機能を解除させる指示を受け付けたと判定した場合、ステップＳ５においてメインディスプレイ点灯ロック機能を解除する。
【００６４】
表示制御部３３は主制御部３０の指示に基づき、ロック設定ステップＳ２において開始されたメインディスプレイ２１の点灯不可状態を終了して、点灯可能状態に移行させる。また、入力制御部３２は主制御部３０の指示に基づき、ロック設定ステップＳ２において制限され無効であったメイン操作キー２０およびメインディスプレイ２１の入力の受付が有効となるように制御し、メインディスプレイ点灯ロック処理は終了する。
【００６５】
主制御部３０は、メインディスプレイ点灯ロック機能を解除させる指示を受け付けていないと判定した場合、ステップＳ６において、割込み処理判定ステップＳ３において発生した割込み処理が、携帯端末装置１が閉状態であっても実行可能な処理であるか否かの判定を行う。
【００６６】
本実施形態における携帯端末装置１は、サブディスプレイ２７およびサブ操作キー２６が所定の入力を受け付けることにより、携帯端末装置１が閉状態であっても種々の処理を実行することができる。例えば所定のサブ操作キー２６を押下することにより、音楽再生アプリケーションや電子メールの確認画面、外部ＣＣＤカメラ、アラームの設定機能が起動したり、音声通話の発信が可能なように構成される。また、サブディスプレイ２７は、図５に示すように数字および記号が表示され、音声通話の発信先の電話番号の入力などを受け付けるようになっている。
【００６７】
携帯端末装置１に発生した割込み処理が閉状態であっても実行可能な処理であった場合、ステップＳ７において主制御部３０は割込み処理を実行する。例えば、音声通話着信であった場合には、主制御部３０は通信制御部３６や音声制御部３５などを制御して、音声通話処理を実行する。
【００６８】
一方、携帯端末装置１に発生した割込み処理が閉状態では実行することができない処理であった場合、ステップＳ８において、主制御部３０は、発生した割込み処理があらかじめ設定された例外処理であるか否かの判定を行う。
【００６９】
割込み処理のうち例外的に実行される例外処理は、処理の実行にメインディスプレイ２１を用いることが必須となる処理である。このため、例外処理実行時には、メインディスプレイ点灯ロック機能が一時的に解除されメインディスプレイ２１は点灯可能状態に制御される。
【００７０】
例外処理の一例として、テレビ電話着信処理が発生した場合が該当する。テレビ電話機能は、通話相手の動画像をメインディスプレイ２１に表示させながら通話を行ったり、内部ＣＣＤカメラ２３を利用して例えば自己を撮像した動画像などを通信相手に送信したりすることにより通話を行う機能である。このため、テレビ電話着信処理が発生した場合、携帯端末装置１を開状態に移行させて内部ＣＣＤカメラ２３を起動し、この内部ＣＣＤカメラ２３で撮像した撮像データや通信相手より受信した撮像データを表示するためのメインディスプレイ２１を利用する必要性が生じる。このような処理は例外処理として扱われ、メインディスプレイ点灯ロック機能を一時的に解除してメインディスプレイ２１に通信相手の動画像などを表示させる。
【００７１】
なお、例外処理としてテレビ電話着信処理を適用して説明したが、これに限らず他の処理であってもよいし、ユーザが例外処理を任意に設定できるようにしてもよい。
【００７２】
例外処理判定ステップＳ８において、主制御部３０は、発生した割込み処理があらかじめ設定された例外処理であると判定した場合、割込み処理実行ステップＳ７に進み、発生した割込み処理を実行する。このとき、表示制御部３３は、主制御部３０の指示に基づきメインディスプレイ２１を制御し、メインディスプレイ点灯ロック機能を一時的に解除してメインディスプレイ２１を点灯可能状態とする。また、入力制御部３２は、主制御部３０の指示に基づき、割込み処理に対する入力の受付が可能なようにメイン操作キー２０などが受け付けた入力を一時的に有効とする。
【００７３】
一方、主制御部３０は、発生した割込み処理があらかじめ設定された例外処理ではないと判定した場合、割込み処理判定ステップＳ３に戻り、以降の処理を繰り返す。
【００７４】
以上でメインディスプレイ点灯ロック処理の説明を終了する。
【００７５】
この携帯端末装置１によれば、メインディスプレイ点灯ロック機能が設定された場合には、携帯端末装置１が開状態を構成する場合であっても、メインディスプレイ２１が点灯しないため、第三者による不正使用を抑制することができる。
【００７６】
また、サブディスプレイ２７およびサブ操作キー２６が入力を受け付けた処理については、簡易な操作を行うことによる種々の操作の実行が維持されるため、ユーザに対しては操作性を維持することができる。その一方で、携帯端末装置１が開状態を構成する場合には、サブディスプレイ２７などを利用して実行される機能に比べてより高度な種々の機能が設けられたり、秘匿性が高い情報が内部に保持されたことに伴い、携帯端末装置１が開状態を構成する場合には第三者の不正使用や、携帯端末装置１内部に保持された情報の管理に対するセキュリティ性についても向上させることができる。
【００７７】
さらに、メインディスプレイ２１は点灯せず何ら表示がされないため、第三者がメインディスプレイ２１を見ただけではロック機能が実行されていると認識されることがない。このため、例えばメインディスプレイ２１およびメイン操作キー２０を介して故意に暗証番号を入力されることによる不正使用を抑制することができることからも、セキュリティ性を向上させることができる。
【００７８】
次に、本実施形態における携帯端末装置１のメインディスプレイ点灯ロック機能とキーロック機能とが同時に設定された場合に実行される処理について説明する。
【００７９】
キーロック機能は、携帯端末装置１のメイン操作キー２０、サブ操作キー２６や、タブレット機能を備えるメインディスプレイ２１、サブディスプレイ２７より受け付けた入力が制限される機能である。このキーロック機能は、たとえば暗証番号を入力することにより解除することができ、第三者による不正使用を防止する目的で設けられる機能である。
【００８０】
本実施形態においては、携帯端末装置１に設けられたメインディスプレイ点灯ロック機能と、このキーロック機能を同時に設定することにより、よりセキュリティ性を向上させることができる。
【００８１】
図６は、本実施形態における携帯端末装置１で実行される点灯ロック・キーロック処理を示すフローチャートである。なお、以下メインディスプレイ点灯ロック機能およびキーロック機能を同時に設定する場合、説明の都合上これらのロック機能を同時ロック機能という。
【００８２】
ステップＳ１１において、主制御部３０は、メインディスプレイ点灯ロック機能を設定させる指示を受け付けたか否かの判定を行う。メインディスプレイ点灯ロック機能は、例えばメインディスプレイ２１に表示されるメインディスプレイ点灯ロック機能の設定画面から、メインディスプレイ点灯ロック機能を設定する指示の入力をメイン操作キー２０が受け付けることにより設定される。
【００８３】
なお、設定受付判定ステップＳ１１において、メインディスプレイ点灯ロック機能の設定を受け付けたと同時にキーロック機能の設定を受け付けるか否かは、あらかじめユーザによって任意に設定できるようにしてもよい。
【００８４】
主制御部３０は、メインディスプレイ点灯ロック機能を設定させる指示を受け付けていないと判定した場合、メインディスプレイ点灯ロック機能を設定させる指示を受け付けるまで処理を待機する。
【００８５】
主制御部３０は、メインディスプレイ点灯ロック機能を設定させる指示を受け付けたと判定した場合、ステップＳ１２において、同時ロック機能を設定する。
【００８６】
表示制御部３３は、主制御部３０の指示に基づきメインディスプレイ２１を制御し、点灯不可状態とする。また、入力制御部３２は主制御部３０の指示に基づき、メイン操作キー２０、サブ操作キー２６や、タブレット機能を備えるメインディスプレイ２１、サブディスプレイ２７より受け付けた入力を制限し、所定の入力以外の入力の受付が無効となるように制御する。
【００８７】
ロック設定ステップＳ１２においては、サブディスプレイ２７は適宜点灯が可能な状態であり、サブ操作キー２６およびサブディスプレイ２７は同時ロック機能を解除するための暗証番号の入力など限られた入力の受付が可能な状態である。
【００８８】
割込み処理判定ステップＳ１３およびロック解除判定ステップＳ１４は、図４で説明したメインディスプレイ点灯ロック処理における割込み処理判定ステップＳ３およびロック解除判定ステップＳ４とほぼ同様であるため、詳細な説明を省略する。
【００８９】
主制御部３０は、メインディスプレイ点灯ロック機能を解除させる指示を受け付けていないと判定した判定した場合、ステップＳ１５において、割込み処理判定ステップＳ１３において発生した割込み処理が、同時ロック機能が設定されていてもあらかじめ設定された例外処理を実行させる指示の入力であるか否かの判定を行う。点灯ロック・キーロック処理における例外処理は、あらかじめ設定された特定の入力を受け付けた場合のみ実行可能な処理である。また、セキュリティ性を向上させるため、特定の入力を受け付ける手段は、ユーザにより任意に設定可能に構成されることが好適である。
【００９０】
例外的に実行可能な例外処理は、例えば緊急時などに必要である緊急用の音声発信処理などが該当する。例外処理を実行させる指示は、例えば、図２に示す閉状態において操作可能であり、例外処理の実行が割り当てられたサブ操作キー２６のいずれかのキーを長押しすることや、複数のサブ操作キー２６を同時に押下することなどにより受け付ける。
【００９１】
例外処理判定ステップＳ１５において、主制御部３０は、発生した割込み処理があらかじめ設定された例外処理を実行させる指示であると判定した場合、ステップＳ１６において、例外処理を実行する。入力制御部３２は主制御部３０の制御に基づき、サブディスプレイ２７の入力の受付を一時的に有効として、例えば緊急用の電話番号の入力を受け付ける。このとき、サブディスプレイ２７には図５に示す数字および記号が表示され、ここから緊急用の電話番号の入力を受け付けるように構成される。電話番号の入力を受け付けた後、主制御部３０は緊急用の音声発信処理を例外処理として実行する。
【００９２】
また、あらかじめ携帯端末装置１の記憶部３４に登録された緊急用の電話番号以外の電話番号が入力された場合には、入力の受付を無効にする制御を行うことで、さらにセキュリティ性を向上させることが可能である。なお、例外処理は、ユーザによりあらかじめ任意の処理が設定可能なように構成してもよい。
【００９３】
一方、主制御部３０は、発生した割込み処理があらかじめ設定された例外処理ではないと判定した場合、割込み処理判定ステップＳ１３に戻り、以降の処理を繰り返す。なお、発生した割込み処理があらかじめ設定された例外処理ではない場合とは、例えば携帯端末装置１が閉状態から開状態へ移行された場合や、メイン操作キー２０などが何らかの入力を受け付けた場合、音声通話またはテレビ電話着信があった場合、電子メールの新着受信があった場合などが該当する。
【００９４】
このとき、音声通話またはテレビ電話着信があった場合や、電子メールの新着受信があった場合においては、着信音をスピーカから出力したり、サブディスプレイ２７にこれらの通知を表示したりする通知処理自体を行わないようにしてもよい。
【００９５】
ロック解除判定ステップＳ１４において、主制御部３０は、メインディスプレイ点灯ロック機能を解除させる指示を受け付けたと判定した場合、ステップＳ１７においてメインディスプレイ点灯ロック機能と同時に設定されたキーロック機能を、同時解除させる設定がなされているか否かの判定を行う。
【００９６】
同時ロック機能は、メインディスプレイ点灯ロック機能の解除を受け付けたと同時にキーロック機能の解除を受け付けるか否かを、あらかじめユーザによって任意に設定可能なように構成される。また、キーロック機能の解除を同時に受け付けるか否かをどちらか一方にあらかじめ設定してもよい。
【００９７】
主制御部３０は、キーロック機能が同時に解除される設定がなされていると判定した場合、ステップＳ１８において同時ロック機能を解除する。
【００９８】
表示制御部３３は主制御部３０の指示に基づき、ロック設定ステップＳ１２において開始されたメインディスプレイ２１の点灯不可状態を終了して、点灯可能状態に移行させる。また、入力制御部３２は主制御部３０の指示に基づき、ロック設定ステップＳ１２において制限されたメイン操作キー２０、サブ操作キー２６や、タブレット機能を備えるメインディスプレイ２１、サブディスプレイ２７の入力の受付の制限を解除し、入力の受付が有効となるように制御し、点灯ロック・キーロック処理は終了する。
【００９９】
一方、主制御部３０はメインディスプレイ点灯ロック機能と同時に設定されたキーロック機能を同時解除させる設定がなされていないと判定した場合、ステップＳ１９において、メインディスプレイ点灯ロック機能のみの設定を解除する。
【０１００】
表示制御部３３は主制御部３０の指示に基づき、ロック設定ステップＳ１２において開始されたメインディスプレイ２１の点灯不可状態を終了して、点灯可能状態に移行させる。また、入力制御部３２は、引き続きメイン操作キー２０、サブ操作キー２６や、タブレット機能を備えるメインディスプレイ２１、サブディスプレイ２７より受け付けた入力を制限し、所定の入力以外の入力の受付が無効となるように制御する。
【０１０１】
このとき、メインディスプレイ２１は点灯可能状態となっているため、メインディスプレイ２１には、例えば現在時刻やキーロック機能の解除を受け付ける暗証番号の入力画面が表示される。また、開状態においてもキーロック機能の解除の受付が可能なように、メイン操作キー２０は暗証番号の入力の受付のみが有効となるように構成される。
【０１０２】
ステップＳ２０において、主制御部３０は、キーロック機能を解除させる指示を受け付けたか否かの判定を行う。
【０１０３】
キーロック機能を解除させる指示は、メインディスプレイ点灯ロック機能の解除指示と同様に、サブディスプレイ２７やメイン操作キー２０などを介して、あらかじめ設定された暗証番号の入力により受け付ける。暗証番号は、ユーザによってあらかじめ設定された任意の数字または記号の組み合わせで構成され、記憶部３４に記憶される。また、暗証番号はメインディスプレイ点灯ロック機能の解除時に用いられる暗証番号とは異なるものが好ましく、適宜変更が可能である。
【０１０４】
主制御部３０は、サブディスプレイ２７やメイン操作キー２０などがあらかじめ設定された暗証番号の入力を受け付けた場合、キーロック機能を解除させる指示を受け付けたと認識する。一方、あらかじめ設定された暗証番号と異なる数字や記号で構成された誤った暗証番号の入力を受け付けた場合、主制御部３０は、正しい暗証番号ではない旨の通知をサブディスプレイ２７またはメインディスプレイ２１に表示させることでユーザに通知する。
【０１０５】
主制御部３０は、キーロック機能を解除させる指示を受け付けていないと判定した判定した場合、キーロック機能を解除させる指示を受け付けるまで処理を待機する。
【０１０６】
主制御部３０は、キーロック機能を解除させる指示を受け付けたと判定した場合、ステップＳ２１においてキーロック機能を解除する。
【０１０７】
入力制御部３２は主制御部３０の指示に基づき、ロック設定ステップＳ１２において制限され無効であったメイン操作キー２０などの入力の受付が有効となるように制御し、点灯ロック・キーロック処理は終了する。
【０１０８】
以上でメインディスプレイ点灯ロック処理の説明を終了する。
【０１０９】
この携帯端末装置１によれば、既存のキーロック機能と、メインディスプレイ点灯ロック機能を同時に設定することにより、さらにセキュリティ性を向上させることができる。
【０１１０】
すなわち、同時キーロック機能を同時解除せず、個別に暗証番号を入力させてロック機能の解除指示を要求することで、メインディスプレイ点灯ロック機能とキーロック機能の二重のロック機能を設定することができる。このとき、メインディスプレイ点灯ロック機能が設定されることにより、メインディスプレイ２１は点灯せず何ら表示がされないため、第三者がメインディスプレイ２１を見ただけではロック機能が実行されていると認識されることがない。このため、例えばメインディスプレイ２１およびメイン操作キー２０を介して故意に暗証番号を入力されることによる不正使用を抑制することができることからも、セキュリティ性を向上させることができる。
【０１１１】
さらに、同時ロック機能の同時解除の指示を、携帯端末装置１が閉状態で操作可能なサブディスプレイ２７より受付が可能なように構成することで、キーロック機能を開状態に移行させることなく解除指示の入力を受け付けることができるため、セキュリティ性の向上に加えユーザに対する操作性の向上も図ることができる。
【０１１２】
なお、本実施形態においては、第二の入力受付手段としてサブディスプレイ２７を用いたが、これに限らずサブ操作キー２６のみからメインディスプレイ点灯ロック機能の解除指示を受け付けるようにしてもよいし、閉状態で使用可能な指紋認証機能を設けて、ユーザの指紋であると認証が取れた場合にメインディスプレイ点灯ロック機能の解除指示を受け付けるようにしてもよい。
【０１１３】
また、点灯ロック・キーロック処理において、メインディスプレイ点灯ロック機能と同時にキーロック機能を設定される例を説明したが、これに限らず、特定の機能のみをロックする機能を同時に設定してもよい。例えば、音声通話機能やアドレス帳、着信履歴、発信履歴、電子メールの閲覧などに対して、第三者による不正使用を抑制するためのロック機能を同時に設定してもよい。
【０１１４】
さらに、本実施形態における携帯端末装置は、折りたたみ式の携帯端末装置を適用して説明したが、一のディスプレイを備え、さらに複数の入力受付手段を備えた携帯端末装置に適用してもよい。
【０１１５】
なお、本発明に係る携帯端末装置は、携帯電話機、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末装置に適用することができる。
【図面の簡単な説明】
【０１１６】
【図１】本発明に係る携帯端末装置の一例を示し、携帯端末装置が開状態を構成するときの外観の構成を示す斜視図。
【図２】本発明に係る携帯端末装置の一例を示し、携帯端末装置が閉状態を構成するときの外観の構成を示す斜視図。
【図３】本実施形態における携帯端末装置の内部の構成を示す図。
【図４】本実施形態における携帯端末装置で実行されるメインディスプレイ点灯ロック処理を示すフローチャート。
【図５】本実施形態におけるに携帯端末装置のサブディスプレイの表示例を示す図。
【図６】本実施形態における携帯端末装置で実行される点灯ロック・キーロック処理を示すフローチャート。
【符号の説明】
【０１１７】
１  携帯端末装置
１２  第一の筐体
１３  第二の筐体
１４  ヒンジ機構
２０  メイン操作キー
２１  メインディスプレイ
２２  電源キー
２６  サブ操作キー
２７  サブディスプレイ
３０  主制御部
３１  電源回路部
３２  入力制御部
３３  表示制御部
３４  記憶部
３５  音声制御部
３６  通信制御部
３７  アンテナ
【図１】
2009268034.tif 000003
【図２】
2009268034.tif 000004
【図３】
2009268034.tif 000005
【図４】
2009268034.tif 000006
【図５】
2009268034.tif 000007
【図６】
2009268034.tif 000008